(57)【特許請求の範囲】
【請求項１】
処理槽内に被処理物を収容すると共に水を貯留し、この貯留水を循環手段で循環させると共に、この循環水を加熱手段により加熱することで、前記被処理物を加熱して殺菌する殺菌装置であって、
前記循環手段は、循環ポンプの作動により、前記処理槽の循環水取出し口から水を取り出し、前記処理槽の循環水戻し口へ水を戻し、
前記循環水取出し口と前記循環水戻し口との内、一方または双方の位置を変えることで、前記処理槽内の水の流れを変更できる殺菌装置であり、
前記処理槽の下部が下部切替弁を介して前記循環ポンプの吸込口に接続される一方、前記処理槽の上部が上部切替弁を介して前記循環ポンプの吐出口に接続され、
前記処理槽下部から前記循環ポンプへの循環水送り路の内、前記下部切替弁より下流部と、前記循環ポンプから前記処理槽上部への循環水戻し路の内、前記上部切替弁より上流部とが、左バイパス路と右バイパス路とで接続されており、
左バイパス路は、前記処理槽の左端部への分岐路を備えると共に、この分岐路との分岐部の前後にバイパス切替弁が設けられており、
右バイパス路は、前記処理槽の右端部への分岐路を備えると共に、この分岐路との分岐部の前後にバイパス切替弁が設けられており、
前記各切替弁の開閉により、前記処理槽内の水の流れを変更する
ことを特徴とする殺菌装置。
【請求項２】
前記加熱手段を作動させて前記被処理物を加熱殺菌する殺菌工程と、前記加熱手段を作動させないで前記被処理物を冷却する冷却工程とを順に実行する殺菌装置であって、
前記殺菌工程と前記冷却工程との内、一方または双方の工程の途中で、前記処理槽内の水の流れを変更する
ことを特徴とする請求項１に記載の殺菌装置。
【発明の詳細な説明】
【技術分野】
【０００１】
本発明は、レトルト食品などの加熱殺菌やその後の冷却に用いられる殺菌装置に関するものである。
【背景技術】
【０００２】
下記特許文献１には、処理槽（１０）内の上下左右に噴射口（２１）を設けておき、下方の噴射口（２１）から蒸気を噴射して被処理物（ｒ）を加熱殺菌後、被処理物（ｒ）を浸漬しない程度まで処理槽（１０）内に水を貯留し、その水を上下左右の噴射口（２１）から噴射して循環させ、被処理物（ｒ）を冷却する殺菌装置が開示されている。
【先行技術文献】
【特許文献】
【０００３】
【特許文献１】特開平６−１８１９６７号公報
【発明の概要】
【発明が解決しようとする課題】
【０００４】
しかしながら、前記特許文献１に記載の発明は、被処理物を蒸気で殺菌するタイプの殺菌装置であり、被処理物を熱水に浸けて殺菌する殺菌装置には利用できない。また、前記特許文献１に記載の発明は、上方および左右の噴射口は、被処理物の冷却時にのみ用いられ、冷却時における被処理物の品温の均一化を図るために（段落番号００１１）、処理槽の上下左右から冷却水を噴射する構成である。さらに、前記特許文献１に記載の発明は、処理槽内の底部にしか水が溜まらないので、処理槽内の底部からしか循環水を取り出せず、循環水の流し方に制限がある。
【０００５】
一方、従来、処理槽内に被処理物を収容すると共に、この被処理物を水没させるまで水を貯留して、処理槽の底部からの水を循環ポンプで処理槽の上部へ戻し、その循環水を蒸気により加熱する殺菌装置も知られている。ところが、このような構成では、処理槽内の上部に配置された被処理物には熱水が当たるが、それにより熱水が左右に逃げてしまい、下方の被処理物には熱水が当たりにくい。従って、処理槽内の貯留水は場所により温度差を生じ、一部の被処理物が殺菌不良となるおそれがあった。
【０００６】
そこで、本発明が解決しようとする課題は、被処理物を均一に加熱して殺菌不良を防止でき、また、被処理物を均一に冷却できる殺菌装置を提供することにある。
【課題を解決するための手段】
【０００７】
本発明は、前記課題を解決するためになされたもので、請求項１に記載の発明は、処理槽内に被処理物を収容すると共に水を貯留し、この貯留水を循環手段で循環させると共に、この循環水を加熱手段により加熱することで、前記被処理物を加熱して殺菌する殺菌装置であって、前記循環手段は、循環ポンプの作動により、前記処理槽の循環水取出し口から水を取り出し、前記処理槽の循環水戻し口へ水を戻し、前記循環水取出し口と前記循環水戻し口との内、一方または双方の位置を変えることで、前記処理槽内の水の流れを変更できる殺菌装置であり、前記処理槽の下部が下部切替弁を介して前記循環ポンプの吸込口に接続される一方、前記処理槽の上部が上部切替弁を介して前記循環ポンプの吐出口に接続され、前記処理槽下部から前記循環ポンプへの循環水送り路の内、前記下部切替弁より下流部と、前記循環ポンプから前記処理槽上部への循環水戻し路の内、前記上部切替弁より上流部とが、左バイパス路と右バイパス路とで接続されており、左バイパス路は、前記処理槽の左端部への分岐路を備えると共に、この分岐路との分岐部の前後にバイパス切替弁が設けられており、右バイパス路は、前記処理槽の右端部への分岐路を備えると共に、この分岐路との分岐部の前後にバイパス切替弁が設けられており、前記各切替弁の開閉により、前記処理槽内の水の流れを変更することを特徴とする殺菌装置である。
【０００８】
請求項１に記載の発明によれば、循環水取出し口の位置を変えたり、循環水戻し口の位置を変えたりすることで、処理槽内の水の流れを変更することができる。これにより、被処理物の均一な加熱を実現して、被処理物の殺菌不良を防止することができる。また、殺菌工程後の冷却工程において実施すれば、被処理物を均一に冷却することができる。
【００１４】
請求項１に記載の発明によれば、簡易な構成で、処理槽内の水の流れを適宜切り替えて、被処理物を均一に加熱したり冷却したりすることができる。
【００１５】
さらに、請求項２に記載の発明は、前記加熱手段を作動させて前記被処理物を加熱殺菌する殺菌工程と、前記加熱手段を作動させないで前記被処理物を冷却する冷却工程とを順に実行する殺菌装置であって、前記殺菌工程と前記冷却工程との内、一方または双方の工程の途中で、前記処理槽内の水の流れを変更することを特徴とする請求項１に記載の殺菌装置である。
【００１６】
請求項２に記載の発明によれば、殺菌工程と冷却工程との内、一方または双方の工程の途中で、処理槽内の水の流れを変更することで、被処理物を均一に加熱したり冷却したりすることができる。
【発明の効果】
【００１７】
本発明によれば、被処理物を均一に加熱して殺菌不良を防止したり、あるいは、被処理物を均一に冷却したりすることができる。
【図面の簡単な説明】
【００１８】
【図１】本発明の殺菌装置の実施例１の主要部を示す概略図であり、一部を断面にして示している。
【図２】図１の殺菌装置の流路切替例を示す概略図である。
【図３】本発明の殺菌装置の実施例２の主要部を示す概略図であり、一部を断面にして示している。
【図４】図３の殺菌装置の流路切替例を示す概略図である。
【発明を実施するための形態】
【００１９】
以下、本発明の具体的実施例を図面に基づいて詳細に説明する。
【実施例１】
【００２０】
図１は、本発明の殺菌装置１の実施例１の主要部を示す概略図であり、一部を断面にして示している。本実施例の殺菌装置１は、処理槽２内に収容した被処理物３を熱水に沈めて加熱殺菌後、冷却する装置である。被処理物３は、特に問わないが、典型的にはレトルト食品である。
【００２１】
本実施例の殺菌装置１は、被処理物３が収容される処理槽２と、この処理槽２内の水を循環する循環手段４と、この循環水を加熱する加熱手段５とを備える。その他、殺菌装置１は、典型的には、処理槽２内への給水手段（図示省略）と、処理槽２外への排水手段（図示省略）と、処理槽２内の加圧手段（図示省略）と、加圧された処理槽２内からの排気手段（図示省略）の他、処理槽２内への熱水を予め製造しておく貯湯槽（図示省略）などを備える。
【００２２】
処理槽２は、被処理物３を収容する中空容器である。処理槽２は、その形状を特に問わないが、本実施例では水平に配置された円筒材を備え、この円筒材は、一方の開口部が閉塞されており、他方の開口部が扉で開閉可能とされている。従って、扉を開けることで、処理槽２に対し被処理物３を出し入れすることができ、扉を閉じることで、処理槽２の開口部を気密に閉じることができる。
【００２３】
処理槽２内には、被処理物３が収容されると共に、この被処理物３を水没させるまで水が貯留される。貯留水を熱水とすれば、被処理物３を加熱して殺菌することができ、貯留水を冷却水とすれば、被処理物３を冷却することができる。
【００２４】
循環手段４は、処理槽２内の水を循環する。循環手段４は、循環ポンプ６の作動により、処理槽２の循環水取出し口（図１では処理槽２の下部２ｂおよび／または右端部２ｄ）から水を取り出し、処理槽２の循環水戻し口（図１では処理槽２の上部２ａおよび／または左端部２ｃ）へ水を戻すことで、処理槽２内の貯留水を循環する。
【００２５】
循環水取出し口または循環水戻し口として利用できる循環水出入口（２ａ〜２ｄ）は、典型的には処理槽２の上下および左右に設けられており、その内のいずれの箇所を用いて循環水を循環させるかにより、処理槽２内の水の流れを変更できる。本実施例では、処理槽２の下部２ｂと右端部２ｄの循環水出入口が、循環水取出し口として利用され、処理槽２の上部２ａと左端部２ｃの循環水出入口が、循環水戻し口として利用される。
【００２６】
循環水の循環中、循環水取出し口と循環水戻し口との内、一方または双方の位置を変えることで、処理槽２内の水の流れを変更できる。図１において、循環水取出し口としては、処理槽２の下部２ｂと右端部２ｄとを利用可能であるが、その内のいずれを用いるか双方を用いるかを変えたり、循環水戻し口としては、処理槽２の上部２ａと左端部２ｃとを利用可能であるが、その内のいずれを用いるか双方を用いるかを変えたりすることで、処理槽２内の水の流れを変更できる。
【００２７】
本実施例の循環手段４は、処理槽２の下部２ｂと、処理槽２の左右一端部（図示例では右端部２ｄ）とが、それぞれ切替弁８，１０を介して、循環ポンプ６の吸込口に接続されている。また、処理槽２の上部２ａと、処理槽２の左右他端部（図示例では左端部２ｃ）とが、それぞれ切替弁７，９を介して循環ポンプ６の吐出口に接続されている。ここで、図１では、左右一端部とは右端部、左右他端部とは左端部であるが、左右を入れ替えて、左右一端部を左端部とし、左右他端部を右端部としてもよい。
【００２８】
さらに詳細に説明すると、処理槽２の下部２ｂから循環ポンプ６への循環水送り路１１（１１ａ）と、処理槽２の右端部２ｄから循環ポンプ６への循環水送り路１１（１１ｂ）とは、循環ポンプ６の側で共通の管路とされて、循環ポンプ６の吸込口に接続されている。そして、処理槽２の下部２ｂから循環ポンプ６への循環水送り路１１ａには、下部切替弁８が設けられ、処理槽２の右端部２ｄから循環ポンプ６への循環水送り路１１ｂには、右部切替弁１０が設けられている。
【００２９】
一方、循環ポンプ６から処理槽２の上部２ａへの循環水戻し路１２（１２ａ）と、循環ポンプ６から処理槽２の左端部２ｃへの循環水戻し路１２（１２ｂ）とは、循環ポンプ６の側で共通の管路とされて、循環ポンプ６の吐出口に接続されている。そして、循環ポンプ６から処理槽２の上部２ａへの循環水戻し路１２ａには、上部切替弁７が設けられ、循環ポンプ６から処理槽２の左端部２ｃへの循環水戻し路１２ｂには、左部切替弁９が設けられている。
【００３０】
従って、上部切替弁７、下部切替弁８、左部切替弁９および右部切替弁１０の開閉を制御することで、処理槽２内の貯留水の流路を切り替えることができる。
【００３１】
図２は、本実施例の殺菌装置１の流路切替例を示す概略図である。この図において、各弁７〜１０は、白色が開放状態を示しており、黒色が閉鎖状態を示している。
【００３２】
同図（ａ）に示すように、左部切替弁９および右部切替弁１０を閉じる一方、上部切替弁７および下部切替弁８を開けて循環ポンプ６を運転すれば、処理槽２の下部からの水を、循環ポンプ６を介して処理槽２の上部へ戻すことができ、処理槽２内では上から下へ向けた流れを作ることができる。
【００３３】
同図（ｂ）に示すように、上部切替弁７および下部切替弁８を閉じる一方、左部切替弁９および右部切替弁１０を開けて循環ポンプ６を運転すれば、処理槽２の右端部からの水を、循環ポンプ６を介して処理槽２の左端部へ戻すことができ、処理槽２内では左から右へ向けた流れを作ることができる。
【００３４】
ところで、処理槽２内へ循環水を戻す際や、処理槽２外へ循環水を取り出す際には、処理槽２内の上部、下部、左端部または右端部においてある程度の領域で水を吐出または吸込できるように、適宜のノズル１３などを設けておいてもよい（図１）。
【００３５】
加熱手段５は、循環手段４による循環水を加熱する。加熱手段５は、その構成を特に問わないが、本実施例では、循環水への給蒸手段とされている。具体的には、本実施例では、循環ポンプ６の出口側において、循環水戻し路１２には給蒸路１４が接続されており、循環水戻し路１２と給蒸路１４との接続部には、蒸気導入手段（図示省略）が設けられている。また、給蒸路１４には給蒸弁１５が設けられている。従って、給蒸弁１５を開けることで、循環水戻し路１２内の循環水に蒸気導入手段によって蒸気を吹き込んで、循環水ひいては処理槽２内の貯留水を加熱することができる。処理槽２に設けた温度センサ（図示省略）の検出温度に基づき給蒸弁１５を制御すれば、処理槽２内の貯留水の温度を所望に調整することができる。
【００３６】
本実施例の殺菌装置１によれば、処理槽２内に被処理物３を収容すると共に、この被処理物３を沈める水位まで熱水を貯留して、被処理物３を加熱して殺菌することができる。この殺菌工程中、循環手段４を作動させると共に、処理槽２内の温度を殺菌温度に維持するように加熱手段５を制御する。また、殺菌工程中、図２に基づき説明したように、熱水の流れを途中で切り替える（たとえば設定時間ごとに切り替える）ことで、被処理物３をムラなく加熱して殺菌することができる。処理槽２内が殺菌温度以上で殺菌時間経過すると、殺菌工程を終了する。
【００３７】
なお、殺菌工程では、処理槽２内の被処理物３が加熱されることで、被処理物３が膨張して包装（レトルトパウチなど）が破裂するおそれがあるので、処理槽２内を加圧して、大気圧を超える圧力（処理槽内温度相当の飽和蒸気圧力よりもやや高圧）とするのがよい。そのために、加圧手段と排気手段とを制御して、処理槽２内への加圧空気の送り込みと、処理槽２内からの排気とを調整して、処理槽２内を所望圧力に調整する。
【００３８】
被処理物３を加熱殺菌後には、被処理物３の冷却が図られる。それには、処理槽２内の熱水を冷却水に入れ替えた状態で、循環手段４を作動させればよい。冷却工程では、加熱手段５は作動させない。冷却工程中、図２に基づき説明したように、冷却水の流れを途中で切り替える（たとえば設定時間ごとに切り替える）ことで、被処理物３をムラなく冷却することができる。所定の冷却時間を経過すると、冷却工程を終了する。
【００３９】
なお、冷却工程では、加圧手段により処理槽２内の貯留水中へ加圧空気を供給して、バブリングにより処理槽２内の貯留水を撹拌してもよい。また、給水手段と排水手段とを制御して、処理槽２内の水を徐々に給排水して入れ替え、処理槽２内の貯留水の水温の低下を図ってもよい。あるいは、場合により、処理槽２内の貯留水の全部の排水と、処理槽２内への冷却水の給水とを繰り返して、被処理物３の冷却を図ってもよい。
【００４０】
冷却工程後には、排水手段により処理槽２内から排水すると共に、排気手段により処理槽２内が大気圧に戻される。これにより、処理槽２内から被処理物３を取り出すことができる。
【実施例２】
【００４１】
図３は、本発明の殺菌装置１の実施例２の主要部を示す概略図であり、一部を断面にして示している。本実施例２の殺菌装置１も、基本的には前記実施１と同様である。そこで、以下においては、両者の異なる点を中心に説明し、対応する箇所には同一の符号を付して説明する。
【００４２】
本実施例２の殺菌装置１は、循環手段４の構成において、前記実施例１と異なる。前記実施例１では、処理槽２の下部２ｂと右端部２ｄとの内、一方または双方を循環水取出し口として利用でき、処理槽２の上部２ａと左端部２ｃとの内、一方または双方を循環水戻し口として利用できたが（図２）、本実施例２では、処理槽２の下部２ｂと左右両端部２ｃ，２ｄとの内、いずれか一以上を循環水取出し口として利用でき、処理槽２の上部２ａと左右両端部２ｃ，２ｄとの内、いずれか一以上を循環水戻し口として利用できる（図４）。
【００４３】
本実施例の循環手段４は、処理槽２の下部が下部切替弁８を介して循環ポンプ６の吸込口に接続される一方、処理槽２の上部が上部切替弁７を介して循環ポンプ６の吐出口に接続されている。また、処理槽２下部から循環ポンプ６への循環水送り路１１の内、下部切替弁８より下流部と、循環ポンプ６から処理槽２上部への循環水戻し路１２の内、上部切替弁７より上流部とが、左バイパス路１６と右バイパス路１７とで接続されている。そして、左バイパス路１６は、処理槽２の左端部への分岐路１８を備えると共に、この分岐路１８との分岐部の前後にバイパス切替弁（左上切替弁１９、左下切替弁２０）が設けられている。同様に、右バイパス路１７は、処理槽２の右端部への分岐路２１を備えると共に、この分岐路２１との分岐部の前後にバイパス切替弁（右上切替弁２２、右下切替弁２３）が設けられている。
【００４４】
従って、上部切替弁７、下部切替弁８、左上切替弁１９、左下切替弁２０、右上切替弁２２および右下切替弁２３の開閉を制御することで、処理槽２内の貯留水の流路を切り替えることができる。
【００４５】
図４は、本実施例の殺菌装置１の流路切替例を示す概略図である。この図において、各弁７，８，１９，２０，２２，２３は、白色が開放状態を示しており、黒色が閉鎖状態を示している。また、ハッチングを入れた弁は、閉鎖状態であるが、所望により開放状態としてもよい旨を示している。
【００４６】
同図（ａ）に示すように、左上切替弁１９、左下切替弁２０、右上切替弁２２および右下切替弁２３を閉じる一方、上部切替弁７および下部切替弁８を開けて循環ポンプ６を運転すれば、処理槽２の下部からの水を、循環ポンプ６を介して処理槽２の上部へ戻すことができ、処理槽２内では上から下へ向けた流れを作ることができる。
【００４７】
同図（ｂ）に示すように、上部切替弁７、左下切替弁２０および右下切替弁２３を閉じる一方、下部切替弁８、左上切替弁１９および右上切替弁２２を開けて循環ポンプ６を運転すれば、処理槽２の下部からの水を、循環ポンプ６を介して処理槽２の左右両端部へ戻すことができ、処理槽２内では左右両端部から下方へ向けた流れを作ることができる。なお、破線で示すように、上部切替弁７を開けてもよい。
【００４８】
同図（ｃ）に示すように、下部切替弁８、左上切替弁１９および右上切替弁２２を閉じる一方、上部切替弁７、左下切替弁２０および右下切替弁２３を開けて循環ポンプ６を運転すれば、処理槽２の左右両端部からの水を、循環ポンプ６を介して処理槽２の上部へ戻すことができ、処理槽２内では上部から左右両端部へ向けた流れを作ることができる。なお、破線で示すように、下部切替弁８を開けてもよい。
【００４９】
同図（ｄ）に示すように、上部切替弁７、下部切替弁８、左下切替弁２０および右上切替弁２２を閉じる一方、左上切替弁１９および右下切替弁２３を開けて循環ポンプ６を運転すれば、処理槽２の右端部からの水を、循環ポンプ６を介して処理槽２の左端部へ戻すことができ、処理槽２内では左から右へ向けた流れを作ることができる。なお、破線で示すように、上部切替弁７と下部切替弁８との内、一方または双方を開けてもよい。
【００５０】
同図（ｅ）に示すように、上部切替弁７、下部切替弁８、左上切替弁１９および右下切替弁２３を閉じる一方、左下切替弁２０および右上切替弁２２を開けて循環ポンプ６を運転すれば、処理槽２の左端部からの水を、循環ポンプ６を介して処理槽２の右端部へ戻すことができ、処理槽２内では右から左へ向けた流れを作ることができる。なお、破線で示すように、上部切替弁７と下部切替弁８との内、一方または双方を開けてもよい。
【００５１】
本実施例２でも、循環ポンプ６の出口側において、循環水戻し路１２には給蒸路１４が接続されており、この給蒸路１４には給蒸弁１５が設けられている。給蒸弁１５を開けることで、循環水戻し路１２内の循環水に蒸気を供給して、循環水ひいては処理槽２内の貯留水を加熱することができる。処理槽２に設けた温度センサ（図示省略）の検出温度に基づき給蒸弁１５を制御すれば、処理槽２内の貯留水の温度を所望に調整することができる。
【００５２】
本実施例２でも、処理槽２内に被処理物３を収容すると共に、この被処理物３を沈める水位まで熱水を貯留して、被処理物３を加熱して殺菌することができる。また、殺菌後には、熱水に代えて冷却水を処理槽２内に貯留して、被処理物３を冷却することができる。殺菌工程や冷却工程では、循環手段４を作動させることで、処理槽２内の貯留水の循環が図られる。そして、本実施例２でも、殺菌工程と冷却工程との内、一方または双方の工程の途中で、図４に基づき説明したように、水の流れを途中で切り替えることで、被処理物３をムラなく加熱または冷却することができる。その他の構成および制御は、前記実施例１と同様のため、説明は省略する。
【００５３】
本発明の殺菌装置１は、前記各実施例の構成に限らず、適宜変更可能である。特に、処理槽２内の貯留水を循環させる殺菌装置１において、循環水取出し口と循環水戻し口との内、一方または双方の位置を変えることで、処理槽２内の水の流れを変更できるのであれば、その他の構成および制御は適宜に変更可能である。
【００５４】
また、前記各実施例では、基本的には殺菌工程と冷却工程との双方で、処理槽２内の水の流れを変更する例を示したが、このような流路変更は、場合により、殺菌工程でのみ行うことができ、あるいは、冷却工程でのみ行うことができる。
【００５５】
また、前記各実施例において、循環水戻し口からの水（熱水または冷却水）が被処理物３に当たらず迂回して循環水取出し口へ流れないように、処理槽２内や循環経路（循環手段４による循環水の配管）に適宜の対策を施してもよい。つまり、温度ムラ対策として、被処理物３に熱水または冷却水が均一に当たるように、処理槽２内や循環経路（特に処理槽２との接続部付近）に、たとえば、邪魔板、パンチングメタルまたは整流板などを配置してもよい。
【００５６】
また、前記各実施例では、循環水を加熱するための給蒸路１４は、循環水戻し路１２に接続したが、場合により、処理槽２に接続して、処理槽２内の貯留水中に直接に蒸気を送り込んでもよい。また、循環水に直接に蒸気を送り込むことに代えて、循環水戻し路１２に熱交換器を設置して、その熱交換器において、循環水とそれを加熱するための蒸気を間接熱交換したり、循環水とそれを冷却するための冷却水を間接熱交換したりしてもよい。
【００５７】
さらに、前記各実施例では、循環水取出し口または循環水戻し口として利用できる循環水出入口２ａ〜２ｄは、処理槽２の上下左右にのみ設けたが、これに代えてまたはこれに加えて、処理槽２の斜め上部や斜め下部などに設けてもよい。
【符号の説明】
【００５８】
１  殺菌装置
２  処理槽
２ａ  上部
２ｂ  下部
２ｃ  左端部
２ｄ  右端部
３  被処理物
４  循環手段
５  加熱手段
６  循環ポンプ
７  上部切替弁
８  下部切替弁
９  左部切替弁
１０  右部切替弁
１１  循環水送り路
１２  循環水戻し路
１３  ノズル
１４  給蒸路
１５  給蒸弁
１６  左バイパス路
１７  右バイパス路
１８  分岐路
１９  左上切替弁（バイパス切替弁）
２０  左下切替弁（バイパス切替弁）
２１  分岐路
２２  右上切替弁（バイパス切替弁）
２３  右下切替弁（バイパス切替弁）
【図１】
0005930392.tif 000002
【図２】
0005930392.tif 000003
【図３】
0005930392.tif 000004
【図４】
0005930392.tif 000005